(57)【要約】【課題】様々なパネルレイアウトに対応することができる有機ＥＬ照明装置を提供する。【解決手段】有機ＥＬ照明パネル１０に電力を供給する配線基板１において、前記配線基板１に２つ以上の陽極側電力供給端子２ａ+，２ｂ+，２ｃ+，２ｅ+と、前記配線基板１に２つ以上の陰極側電力供給端子３ａ-，３ｂ-，３ｃ-，３ｄ-とを備え、前記配線基板１を備える２つ以上の前記有機ＥＬ照明パネル１０と、電源２０とを備えた。【選択図】図１
2012104316.tif 000002
【特許請求の範囲】
【請求項１】
有機ＥＬ照明パネルに電力を供給する配線基板において、
前記配線基板に２つ以上の陽極側電力供給端子と、
前記配線基板に２つ以上の陰極側電力供給端子と
を備え、
前記配線基板を備える２つ以上の前記有機ＥＬ照明パネルと、
電源と
を備える
ことを特徴とする有機ＥＬ照明装置。
【請求項２】
有機ＥＬ照明パネルに電力を供給する配線基板において、
前記配線基板に少なくとも１つの陽極側電力供給端子と、
前記配線基板に少なくとも１つの陰極側電力供給端子と
を備え、
前記陽極側電力供給端子及び前記陰極側電力供給端子は、非接続側と近接して位置するように配置されている
ことを特徴とする有機ＥＬ照明装置。
【発明の詳細な説明】
【技術分野】
【０００１】
本発明は、有機ＥＬ照明装置に関する。
【背景技術】
【０００２】
有機ＥＬ照明パネルには、点灯のための電力を供給する陽極側及び陰極側の電力供給端子が必要となる。通常、ガラスエポキシ基板やＦＰＣ（Ｆｌｅｘｉｂｌｅ  ｐｒｉｎｔｅｄ  ｃｉｒｃｕｉｔｓ）基板や半田等により、予め決められた陽極側及び陰極側の電力供給端子を形成し、この電極供給端子から有機ＥＬ照明パネルに電力を供給して点灯させている（例えば、下記特許文献１参照）。
【先行技術文献】
【特許文献】
【０００３】
【特許文献１】特開２００７−５２４３号公報
【発明の概要】
【発明が解決しようとする課題】
【０００４】
ところで、有機ＥＬ照明パネルを並べて使用する場合、並べる方向に沿って陽極側及び陰極側の電力供給端子が形成されていることが望ましい。しかしながら、従来、陽極側及び陰極側の電力供給端子は、予め決められた位置に形成されているため、有機ＥＬ照明パネルを並べる方向と異なる方向に電力供給端子が形成されている場合には、有機ＥＬ照明パネル間の配線が複雑化する可能性が高い。
【０００５】
なお、上記特許文献１に開示される装置本体の構成によれば、有機ＥＬ照明パネル間の接続を容易にすることは可能である。しかしながら、有機ＥＬ照明パネルを想定した方向と異なる方向へ接続したい場合には、接続が困難となる。
【０００６】
また、電源に有機ＥＬ照明パネルを接続する場合、有機ＥＬ照明パネルの電源になるべく近い位置に陽極側及び陰極側の電力供給端子が形成されていることが望ましい。しかしながら、従来、陽極側及び陰極側の電力供給端子は、予め決められた位置に形成されているため、電源と有機ＥＬ照明パネルとの間の配線が複雑化する可能性が高い。
【０００７】
図６は、従来の有機ＥＬ照明装置における有機ＥＬ照明パネルを直列に接続した場合の構成例を示した模式図である。また、図７は、従来の有機ＥＬ照明装置における有機ＥＬ照明パネルを並列に接続した場合の構成例を示した模式図である。
【０００８】
図６，７に示すように、例えば、長方形状の第１の有機ＥＬ照明パネル１０１及び第２の有機ＥＬ照明パネル１０２の左辺側に陽極側電力供給端子１０１ａ+が形成され、左辺側に陰極側電力供給端子１０１ａ-が形成されているものとする。
同様に、第２の有機ＥＬ照明パネル１０２の左辺側に陽極側電力供給端子１０２ａ+が形成され、左辺側に陰極側電力供給端子１０２ａ-が形成されているものとする。
【０００９】
そして、図６に示すように、有機ＥＬ照明パネルを直列に配線する場合、電源１００に近い第１の有機ＥＬ照明パネル１０１の陽極側電力供給端子１０１ａ+と電源１００の陽極１００ａ+とを配線１０３により電気的に接続する。有機ＥＬ照明パネル１０１の陰極側電力供給端子１０１ａ-と第２の有機ＥＬ照明パネル１０２の陽極側電力供給端子１０２ａ+とを配線１０４により電気的に接続する。第２の有機ＥＬ照明パネル１０２の陰極側電力供給端子１０２ａ-と電源１００の陰極１００ａ-とを配線１０５により電気的に接続する。
【００１０】
また、図７に示すように、有機ＥＬ照明パネルを並列に配線する場合、電源１００に近い第１の有機ＥＬ照明パネル１０１の陽極側電力供給端子１０１ａ+と電源１００の陽極１００ａ+とを配線１０６により電気的に接続し、第１の有機ＥＬ照明パネル１０１の陰極側電力供給端子１０１ａ-と電源１００の陰極１００ａ-とを配線１０７，１０８により電気的に接続する。
【００１１】
同様に、電源１００に近い第２の有機ＥＬ照明パネル１０２の陽極側電力供給端子１０２ａ+と電源１００の陽極１００ａ+とを配線１０９により電気的に接続し、第２の有機ＥＬ照明パネル１０２の陰極側電力供給端子１０２ａ-と電源１００の陰極１００ａ-とを配線１０８，１１０により電気的に接続する。
このように、従来、１組の電力供給端子が予め決められた位置に形成されているため、配線が煩雑となる。
【００１２】
また、有機ＥＬ照明パネルを用いた照明器具や照明設備を製作する場合、照明器具や照明設備により最適な電力供給端子の位置は異なる位置となる。しかしながら、電力供給端子を所望の位置に合わせてガラスエポキシ基板やＦＰＣ基板や半田等により回路基板を都度作製するとなると、接続作業に手間と時間が掛かり、コストも高くなるという問題がある。
【００１３】
以上のことから、本発明は、様々なパネルレイアウトに対応することができる有機ＥＬ照明装置を提供することを目的とする。
【課題を解決するための手段】
【００１４】
上記課題を解決するための第１の発明に係る有機ＥＬ照明パネル用配線基板は、
有機ＥＬ照明パネルに電力を供給する配線基板において、
前記配線基板に２つ以上の陽極側電力供給端子と、
前記配線基板に２つ以上の陰極側電力供給端子と
を備え、
前記配線基板を備える２つ以上の前記有機ＥＬ照明パネルと、
電源と
を備える
ことを特徴とする。
【００１５】
上記課題を解決するための第２の発明に係る有機ＥＬ照明装置は、
有機ＥＬ照明パネルに電力を供給する配線基板において、
前記配線基板に少なくとも１つの陽極側電力供給端子と、
前記配線基板に少なくとも１つの陰極側電力供給端子と
を備え、
前記陽極側電力供給端子及び前記陰極側電力供給端子は、非接続側と近接して位置するように配置されている
ことを特徴とする。
【発明の効果】
【００１６】
本発明によれば、様々なパネルレイアウトに対応することができる有機ＥＬ照明装置を提供することができる。
【図面の簡単な説明】
【００１７】
【図１】本発明の第１の実施例に係る有機ＥＬ照明装置の構成を示した模式図である。
【図２】本発明の第１の実施例に係る有機ＥＬ照明パネル用配線基板の構成を示した模式図である。
【図３】本発明の第１の実施例に係る有機ＥＬ照明装置における有機ＥＬ照明パネルの構成を示した模式図である。
【図４】本発明の第２の実施例に係る有機ＥＬ照明装置における有機ＥＬ照明パネルを直列に接続した場合の模式図である。
【図５】本発明の第２の実施例に係る有機ＥＬ照明装置における有機ＥＬ照明パネルを並列に接続した場合の模式図である。
【図６】従来の有機ＥＬ照明装置の構成例を示した模式図である。
【図７】従来の有機ＥＬ照明装置の構成例を示した模式図である。
【発明を実施するための形態】
【００１８】
以下、本発明に係る有機ＥＬ照明装置を実施するための形態について、図面を参照しながら説明する。
【実施例１】
【００１９】
以下、本発明に係る有機ＥＬ照明装置の第１の実施例について説明する。
図１は、本実施例に係る有機ＥＬ照明装置の模式図である。
図１に示すように、本実施例に係る有機ＥＬ照明装置は、有機ＥＬ照明パネル１０と、有機ＥＬ照明パネル１０上に設置される表面に複数の電力供給端子が形成された低抵抗の配線基板１とを備えている。
【００２０】
図３は、本実施例に係る有機ＥＬ照明装置における有機ＥＬ照明パネルの構成を示した模式図である。
図３に示すように、有機ＥＬ照明パネル１０は、長方形状のガラス基板１１と、ガラス基板１１上に形成される有機ＥＬ素子１２と、ガラス基板１１上に形成される有機ＥＬ素子１２に電力を供給する透明電極の陽極電極１３及び陰極電極１４とを備えている。陽極電極１３は、ガラス基板１１の長辺側に形成されている。陰極電極１４は、ガラス基板１１の短辺側に形成されている。なお、本実施例においては、ガラス基板１１を用いる場合を例として説明するが、これ以外の材質の基板を用いることもできる。
【００２１】
図２は、本実施例に係る有機ＥＬ照明パネル用配線基板の構成を示した模式図である。なお、図２（ａ）は、有機ＥＬ照明パネル用配線基板を表面側から見た場合の図であり、図２（ｂ）は、有機ＥＬ照明パネル用配線基板を裏面側から見た図場合のである。
【００２２】
図２に示すように、本実施例に係る有機ＥＬ照明パネル用配線基板は、ガラスエポキシ製の基板８に上下２層に分かれ上側配線及び下側配線が形成されている。図２（ａ）に示すように、上側配線は、上側陽極配線４ａと上側陰極配線４ｂとにより構成されている。また、図２（ｂ）に示すように、下側配線は、下側陽極配線５ａと下側陰極配線５ｂとにより構成されている。なお、本実施例においては、ガラスエポキシ製の基板８を用いる場合を例として説明するが、ＦＰＣ基板等を用いることもできる。
【００２３】
図２（ａ）に示すように、上側陽極配線４ａは、ガラスエポキシで覆われているが、上側陽極配線４ａ上のガラスエポキシの一部が除去され陽極側電力供給端子が形成されている。なお、本実施例においては、右辺下側に形成される陽極側電力供給端子を陽極側電力供給端子２ａ+とし、左辺下側に形成される陽極側電力供給端子を陽極側電力供給端子２ｂ+とし、上辺中央左側に形成される陽極側電力供給端子を陽極側電力供給端子２ｃ+とし、右辺上側に形成される陽極側電力供給端子を陽極側電力供給端子２ｅ+とする。
【００２４】
また、上側陰極配線４ｂは、ガラスエポキシで覆われているが、上側陰極配線４ｂ上のガラスエポキシの一部が除去され陰極側電力供給端子が形成されている。なお、本実施例においては、下辺右側に形成される陰極側電力供給端子を陰極側電力供給端子３ａ-とし、左辺上側に形成される陰極側電力供給端子を陰極側電力供給端子３ｂ-とし、上辺中央右側に形成される陰極側電力供給端子を陰極側電力供給端子３ｃ-とし、下辺中央に形成される陰極側電力供給端子を陰極側電力供給端子３ｄ-とする。
【００２５】
図２（ｂ）に示すように、下側陽極配線５ａ及び下側陰極配線５ｂは、ガラスエポキシには覆われておらず露出した状態となっている。
図２（ａ）及び図２（ｂ）に示すように、上側陽極配線４ａと下側陽極配線５ａとの間は、基板８を貫通する陽極側スルーホール６が形成されている。また、上側陰極配線４ｂと下側陰極配線５ｂとの間は、基板８を貫通する陰極側スルーホール７が形成されている。
【００２６】
そして、図１に示すように、配線基板１を有機ＥＬ照明パネル１０上に載置した上で、陽極側スルーホール６に半田を流し込むことにより、上側陽極配線４ａと下側陽極配線５ａとが電気的に接続され、上側陰極配線４ｂと下側陰極配線５ｂとが電気的に接続される。
【００２７】
また、同時に、下側陽極配線５ａと有機ＥＬ照明パネル１０の陽極電極１２とが電気的に接続され、下側陰極配線５ｂと有機ＥＬ照明パネル１０の陰極電極１３とが電気的に接続される。
【００２８】
表１は、各端子位置において電力を供給したときの点灯１０秒後及び点灯２０分後の輝度分布の測定結果を示した表である。なお、輝度分布は、有機ＥＬ照明パネル１０面内における輝度値の標準偏差を有機ＥＬ照明パネル１０面内における輝度値の平均値で割った値について、パーセンテージで示している。また、有機ＥＬ照明パネル１０を点灯させてから１０秒後と、２０分後の輝度分布を示している。
【表１】
2012104316.tif 000003
【００２９】
表１より、点灯１０秒後においては、陽極側電力供給端子２ａ+と陰極側電力供給端子３ａ-とにおいて電力を供給した場合に輝度分布が最大の１８．１％となり、陽極側電力供給端子２ｃ+と陰極側電力供給端子３ｃ-とにおいて電力を供給した場合に輝度分布が最小の１７．５％となっている。
【００３０】
また、点灯２０分後においては、陽極側電力供給端子２ｂ+と陰極側電力供給端子３ｂ-とにおいて電力を供給した場合に輝度分布が最大の２１．７％となり、陽極側電力供給端子２ｃ+と陰極側電力供給端子３ｄ-とにおいて電力を供給した場合に輝度分布が最小の１９．７％となっている。
【００３１】
このように、各端子位置により輝度分布に大きな差がないことが分かる。このため、複数の電力供給端子を形成した場合であっても、有機ＥＬ照明パネル１０を問題なく点灯させることができることが分かる。
【００３２】
したがって、本実施例に係る有機ＥＬ照明装置によれば、様々なパネルレイアウトに効率よく対応することができる有機ＥＬ照明装置を提供することができる。
【実施例２】
【００３３】
以下、本発明に係る有機ＥＬ照明装置の第２の実施例について説明する。
図４は、本実施例に係る有機ＥＬ照明装置における有機ＥＬ照明パネルを直列に接続した場合の模式図である。また、図５は、本実施例に係る有機ＥＬ照明装置における有機ＥＬ照明パネルを並列に接続した場合の模式図である。
【００３４】
図４，５に示すように、本実施例に係る有機ＥＬ照明装置においては、長方形状の第１の有機ＥＬ照明パネル２１及び第２の有機ＥＬ照明パネル２３を設置する。
第１の有機ＥＬ照明パネル２１上に設置される第１の配線基板２２の左辺側に１組の陽極側電力供給端子２２ａ+及び陰極側電力供給端子２２ａ-を形成し、第１の配線基板２２の右辺側にも１組の陽極側電力供給端子２２ｂ+及び陰極側電力供給端子２２ｂ-を形成する。
【００３５】
同様に、第２の有機ＥＬ照明パネル２３上に設置される第２の配線基板２４の左辺側に１組の陽極側電力供給端子２４ａ+及び陰極側電力供給端子２４ａ-を形成し、第２の配線基板２４の右辺側にも１組の陽極側電力供給端子２４ｂ+及び陰極側電力供給端子２４ｂ-を形成する。
なお、本実施例に係る第１の配線基板２２及び第２の配線基板２４の基本的な構成は、第１の実施例に係る配線基板１と同様であるため、ここでの説明は省略する。
【００３６】
図４に示すように、本実施例に係る有機ＥＬ照明装置においては、第１の有機ＥＬ照明パネル２１及び第２の有機ＥＬ照明パネル２３を直列に接続する場合、電源２０に近い第１の有機ＥＬ照明パネル２１の第１の配線基板２２の左辺側の陽極側電力供給端子２２ａ+と電源２０の陽極２０ａ+とを配線２５により電気的に接続し、陰極側電力供給端子２２ａ-と電源２０の陰極２０ａ-とを配線２６により電気的に接続する。
【００３７】
また、第１の有機ＥＬ照明パネル２１の第１の配線基板２２の右辺側の陽極側電力供給端子２２ｂ+と第２の有機ＥＬ照明パネル２３の第２の配線基板２４の左辺側の陽極側電力供給端子２４ａ+とを配線２７により電気的に接続し、第１の有機ＥＬ照明パネル２１の第１の配線基板２２の右辺側の陰極側電力供給端子２２ｂ-と第２の有機ＥＬ照明パネル２３の第２の配線基板２４の左辺側の陰極側電力供給端子２４ａ-とを配線２８により電気的に接続する。
このように、図６に示した従来の有機ＥＬ照明装置の構成例に比べ、配線を簡素化することができる。
【００３８】
図５に示すように、本実施例に係る有機ＥＬ照明装置においては、第１の有機ＥＬ照明パネル２１及び第２の有機ＥＬ照明パネル２３を並列に接続した場合、電源２０に近い第１の有機ＥＬ照明パネル２１の第１の配線基板２２の左辺側の陽極側電力供給端子２２ａ+と電源２０の陽極２０ａ+とを配線３０により電気的に接続し、陰極側電力供給端子２２ａ-と電源２０の陰極２０ａ-とを配線３１により電気的に接続する。
【００３９】
同様に、電源２０に近い第２の有機ＥＬ照明パネル２３の第１の配線基板２４の左辺側の陽極側電力供給端子２４ａ+と電源２０の陽極２０ａ+とを配線３２により電気的に接続し、陰極側電力供給端子２４ａ-と電源２０の陰極２０ａ-とを配線３３により電気的に接続する。
このように、図７に示した従来の有機ＥＬ照明装置の構成例に比べ、配線を簡素化することができる。
【００４０】
すなわち、本実施例に係る有機ＥＬ照明装置においては、第１の有機ＥＬ照明パネル２１に電力を供給する第１の配線基板２２において、第１の配線基板２２に少なくとも１つの陽極側電力供給端子２２ａ+，２２ｂ+，２４ａ+，２４ｂ+と、第１の配線基板２２に少なくとも１つの陰極側電力供給端子２２ａ-，２２ｂ-，２４ａ-，２４ｂ-とを備え、他の有機ＥＬ照明パネル（例えば、第２の有機ＥＬ照明パネル２３）又は電源２０等の非接続側と近接して位置するように配置されていることを特徴としている。
【００４１】
したがって、本実施例に係る有機ＥＬ照明装置によれば、複数の有機ＥＬ照明パネルを設置する場合であっても、配線を簡素化することができる。
【産業上の利用可能性】
【００４２】
本発明は、例えば、有機ＥＬ照明装置において利用することが可能である。
【符号の説明】
【００４３】
１  配線基板
２ａ+，２ｂ+，２ｃ+，２ｅ+  陽極側電力供給端子
３ａ-，３ｂ-，３ｃ-，３ｄ-  陰極側電力供給端子
４ａ  上側陽極配線
４ｂ  上側陰極配線
５ａ  下側陽極配線
５ｂ  下側陰極配線
６  陽極側スルーホール
７  陰極側スルーホール
８  基板
１０  有機ＥＬ照明パネル
１１  ガラス基板
１２  有機ＥＬ素子
１３  陽極電極
１４  陰極電極
２０  電源
２０ａ+  陽極
２０ａ-  陰極
２１  第１の有機ＥＬ照明パネル
２２  第１の配線基板
２２ａ+  陽極側電力供給端子
２２ａ-  陰極側電力供給端子
２２ｂ+  陽極側電力供給端子
２２ｂ-  陰極側電力供給端子
２３  第２の有機ＥＬ照明パネル
２４  第２の配線基板
２４ａ+  陽極側電力供給端子
２４ａ-  陰極側電力供給端子
２４ｂ+  陽極側電力供給端子
２４ｂ-  陰極側電力供給端子
２５〜２８  配線
３０〜３３  配線
１００  電源
１０１  第１の有機ＥＬ照明パネル
１０１ａ+  陽極側電力供給端子
１０１ａ-  陰極側電力供給端子
１０２  第２の有機ＥＬ照明パネル
１０２ａ+  陽極側電力供給端子
１０２ａ-  陰極側電力供給端子
１０３〜１１０  配線
【図１】
2012104316.tif 000004
【図２】
2012104316.tif 000005
【図３】
2012104316.tif 000006
【図４】
2012104316.tif 000007
【図５】
2012104316.tif 000008
【図６】
2012104316.tif 000009
【図７】
2012104316.tif 000010